(57)【特許請求の範囲】
【請求項１】
担体上にスポットとして固定化された選択結合性物質に、標識された被検査物質が結合することにより標識の検出強度として得られる、上記被検査物質の選択的結合量の信頼性を判定する判定方法であって、
上記担体における上記検出強度を画像化した画像データにおいて上記スポットの位置を決定して、当該スポットに対応するピクセル群を抽出するピクセル群抽出ステップと、
上記ピクセル群抽出ステップにて抽出された上記ピクセル群における上記検出強度のメジアン値と、当該ピクセル群から上位所定割合および／または下位所定割合のピクセルを除いた群における上記検出強度のメジアン値と、の比または差を算出するメジアン算出ステップと、
上記メジアン算出ステップにて算出された上記比または上記差と、所定の基準値とに基づいて、上記信頼性の良否を判定する信頼性判定ステップと、
を含むことを特徴とする、判定方法。
【請求項２】
請求項１に記載の判定方法において、
上記メジアン算出ステップは、
以下の式１および／または式２によって得られる比の値を算出し、
｜Ｘ−Ｘｔ｜／Ｘ      …（式１）
｜Ｘ−Ｘｂ｜／Ｘ      …（式２）
（ここで、Ｘは、上記ピクセル群における上記検出強度のメジアン値であり、Ｘｔは、当該ピクセル群から上位所定割合のピクセルを除いた群における上記検出強度のメジアン値であり、Ｘｂは、当該ピクセル群から下位所定割合のピクセルを除いた群における上記検出強度のメジアン値である。）
上記信頼性判定ステップは、
上記メジアン算出ステップにて算出された上記比の値が上記基準値以上であれば不良と判定することを特徴とする、判定方法。
【請求項３】
請求項１または２に記載の判定方法において、
上記基準値は、以下の式３によって得られる値であること
Ｓ＝Ｃ＋Ｚ／Ｘ      …（式３）
（ここで、Ｓは、上記基準値であり、Ｃは、定数であり、Ｚは、上記標識の検出強度を検出する装置の感度設定によるオフセット値であり、Ｘは、上記ピクセル群における上記検出強度のメジアン値である。）
を特徴とする、判定方法。
【請求項４】
請求項３に記載の判定方法において、
上記標識の検出強度を検出する装置は、フォトマルチプライヤーであり、
上記オフセット値は、以下の式４によって得られる値であること
Ｚ＝Ｘ＾（Ａ）＊Ｂ      …（式４）
（ここで、Ｚは、上記オフセット値であり、Ｘは、上記フォトマルチプライヤーのゲイン電圧であり、ＡおよびＢは、定数である。）
を特徴とする、判定方法。
【請求項５】
請求項１乃至４のいずれか一つに記載の判定方法において、
上記担体は、マイクロアレイであり、
上記標識は、蛍光標識であり、
上記検出強度は、蛍光量であり、
上記信頼性判定ステップは、上記信頼性の良否としてスポットの良否を判定すること
を特徴とする、判定方法。
【請求項６】
担体上にスポットとして固定化された選択結合性物質に、標識された被検査物質が結合することにより標識の検出強度として得られる、上記被検査物質の選択的結合量の信頼性を判定する、制御部を少なくとも備えた判定装置において、
上記制御部は、
上記担体における上記検出強度を画像化した画像データにおいて上記スポットの位置を決定して、当該スポットに対応するピクセル群を抽出するピクセル群抽出手段と、
上記ピクセル群抽出手段により抽出された上記ピクセル群における上記検出強度のメジアン値と、当該ピクセル群から上位所定割合および／または下位所定割合のピクセルを除いた群における上記検出強度のメジアン値と、の比または差を算出するメジアン算出手段と、
上記メジアン算出手段により算出された上記比または上記差と、所定の基準値とに基づいて、上記信頼性の良否を判定する信頼性判定手段と、
を備えたことを特徴とする、判定装置。
【請求項７】
担体上にスポットとして固定化された選択結合性物質に、標識された被検査物質が結合することにより得られる標識の検出強度を読取る検出装置と、上記検出強度として得られる、上記被検査物質の選択的結合量の信頼性を判定する制御部を少なくとも備えた判定装置と、を接続して構成した判定システムにおいて、
上記判定装置の上記制御部は、
上記検出装置を介して読取られた上記担体における上記検出強度を、画像化した画像データとして取得する画像データ取得手段と、
上記画像データ取得手段により取得された上記画像データにおいて上記スポットの位置を決定して、当該スポットに対応するピクセル群を抽出するピクセル群抽出手段と、
上記ピクセル群抽出手段により抽出された上記ピクセル群における上記検出強度のメジアン値と、当該ピクセル群から上位所定割合および／または下位所定割合のピクセルを除いた群における上記検出強度のメジアン値と、の比または差を算出するメジアン算出手段と、
上記メジアン算出手段により算出された上記比または上記差と、所定の基準値とに基づいて、上記信頼性の良否を判定する信頼性判定手段と、
を備えたことを特徴とする、判定システム。
【請求項８】
担体上にスポットとして固定化された選択結合性物質に、標識された被検査物質が結合することにより標識の検出強度として得られる、上記被検査物質の選択的結合量の信頼性を判定する方法を、制御部を少なくとも備えたコンピュータに実行させるためのプログラムであって、
上記制御部において、
上記担体における上記検出強度を画像化した画像データにおいて上記スポットの位置を決定して、当該スポットに対応するピクセル群を抽出するピクセル群抽出ステップと、
上記ピクセル群抽出ステップにて抽出された上記ピクセル群における上記検出強度のメジアン値と、当該ピクセル群から上位所定割合および／または下位所定割合のピクセルを除いた群における上記検出強度のメジアン値と、の比または差を算出するメジアン算出ステップと、
上記メジアン算出ステップにて算出された上記比または上記差と、所定の基準値とに基づいて、上記信頼性の良否を判定する信頼性判定ステップと、
を含む上記方法を実行させるためのプログラム。
【発明の詳細な説明】
【技術分野】
【０００１】
本発明は、判定方法、判定装置、判定システム、および、プログラムに関する。
【背景技術】
【０００２】
近年、マイクロアレイ実験やマクロアレイ実験等の技術発展により、膨大な量の遺伝子やタンパク質等を網羅的に解析することが可能となった。例えば、ＤＮＡマイクロアレイでは、スライドガラス等の担体上に、数百から数万のＤＮＡを、マトリックス状に整列させてスポットとして固定化しておき、検査対象の細胞から抽出・標識したｍＲＮＡあるいはｃＤＮＡをハイブリダイズさせることによって遺伝子発現レベルを測定することができる。
【０００３】
すなわち、標識されたｃＤＮＡ等の被検査物質が、担体上の相補的ＤＮＡに選択的に結合するので、標識の検出強度を取得することによって、遺伝子発現レベルを推定することができる。ここで、遺伝子発現レベル等の被検査物質の選択的結合量には、データとしての信頼性が求められるものの、スポットとして担体上に固定化した相補的ＤＮＡ等の選択結合性物質が不均一でムラがある場合や、スポット箇所にごみが付着している場合などのように非生物学的な要因によって、検出強度が変動する虞があった。
【０００４】
そのため、従来、ＤＮＡマイクロアレイ等におけるスポットの均一性を判定する方法が開発されている。例えば、特許文献１に記載の均一性評価方法は、（１）ＤＮＡマイクロアレイの単色発光イメージをスキャンして得た画像に解析ソフトを適用し、各スポットに対応するバックグラウンドデータを得て、（２）各スポットに対応するターゲットＤＮＡのプレートプレートＮｏ．とプレート位置を求め、（３）各バックグラウンドデータにプレートプレートＮｏ．とプレート位置を対応付け、（４）バックグランドデータを、プレートＮｏ．とプレート位置の順に並べた数列ＢＧを得て、数列全体から部分数列を抽出して周期性規則を検出する。
【０００５】
また、特許文献２においては、ＣＶ（ｃｏｅｆｆｉｃｉｅｎｔ  ｏｆ  ｖａｒｉａｔｉｏｎ：変動係数）の値を基準に、ばらつきを評価することが開示されている。ここで、スポットの変動係数（ＣＶ）とは、ＤＮＡマイクロアレイ等のスポットについて、担体上の検出強度をスキャンして測定したときに得られる、各スポットの蛍光強度の平均値に対する標準偏差（ＳＤ）の割合（％）をいう。
【０００６】
また、マイクロアレイの解析ソフトウェアＧｅｎｅＰｉｘ  Ｐｒｏ（Ｍｏｌｅｃｕｌａｒ  Ｄｅｖｉｃｅｓ社製）では、スポットに含まれるピクセルの各強度の値とスポットの周りのピクセルの強度の平均値とを比較し、スポットに含まれるピクセルの内、所定割合が条件「（スポットに含まれる各ピクセルの強度）−（スポット周りのピクセル強度平均値）＜０」を満たす場合、そのスポットを不良と判定している（非特許文献１参照）。これにより、なんらかの異常、例えばゴミが付着したり、チップが汚れたりしたことによりスポットの周辺のバックグラウンドが高くなった場合を検出する。
【先行技術文献】
【特許文献】
【０００７】
【特許文献１】特開２００４−３４０５７４号公報
【特許文献２】特開２００８−０３９５８４号公報
【非特許文献】
【０００８】
【非特許文献１】株式会社インターメディカル、“ＧｅｎｅＰｉｘ  Ｐｒｏ  ７．０  Ｍｉｃｒｏａｒｒａｙ  Ｉｍａｇｅ  Ａｎａｌｙｓｉｓ”、［ｏｎｌｉｎｅ］、Ｃｏｐｙｒｉｇｈｔ  ２００６  ＩｎｔｅｒＭｅｄｉｃａｌ  ｃｏ．，ｌｔｄ．、［平成２４年３月６日検索］、インターネット＜ＵＲＬ：ｈｔｔｐ：／／ｗｗｗ．ｉｎｔｅｒｍｅｄｉｃａｌ．ｃｏ．ｊｐ／ｈｏｍｅｐａｇｅ／ｐｒｏｄｕｃｔｓ／ａｘｏｎ／ｇｅｎｅｐｉｘｐｒｏ７．ｈｔｍｌ＞
【発明の概要】
【発明が解決しようとする課題】
【０００９】
しかしながら、従来法におけるスポット均一性判定方法では、被検査物質の選択的結合量の信頼性を適切に判定することができないという問題があった。
【００１０】
特に、特許文献１に記載の均一性評価方法では、複数のスポット間の均一性を評価することができるものの、単一のスポット内の均一性を評価することができないという問題がある。
【００１１】
また、特許文献２に記載のＣＶ値による評価方法では、スポットを構成するピクセル群のうち、ごみの付着等により一部のピクセルの強度が極端に高い場合や低い場合には標準偏差が大きくなりＣＶ値が閾値を超えるため、一部ピクセル以外のピクセル群については強度データが使えるにも関わらず、当該データを排除してしまっており過検出であるという問題がある。
【００１２】
すなわち、一般的に、ＤＮＡチップ等のスポットのシグナル強度の代表値としては、画像中のスポット内のピクセル群におけるメジアン（中央値）を用いている。例えば、画像において、直径１００μｍの円形のスポットで位置合わせを行った場合、円形に含まれる約７０個（ピクセルサイズ：１０μｍ四方）のピクセル群において強度のメジアン（スポットメジアン）を求める。
【００１３】
これは、ピクセル群の強度の平均値を用いるよりも、外れ値に依存して変動することが少ないためである。すなわち、スポット内のピクセル群の検出強度において、極端に高い値や極端に低い値等の外れ値があると、全体平均が外れ値に引っ張られることになるからである。
【００１４】
ここで、図１は、２枚のＤＮＡチップにおいて同一の被検査物質をハイブリダイズさせた場合の検出強度を示すスキャッタープロットである。横軸は、一方のＤＮＡチップにおける各スポットの検出強度を表しており、縦軸は、他方のＤＮＡチップにおける各スポットの検出強度を表している。すなわち、１つの点の座標（Ｘ，Ｙ）は、同一の選択結合性物質を固定したスポットについて、一方のＤＮＡチップにおいて測定された検出強度（Ｘ）と、他方のＤＮＡチップにおいて測定された検出強度（Ｙ）を表している。
【００１５】
この例では、２枚のＤＮＡチップにおいて同一の被検査物質をハイブリダイズさせているので、理想的にはＹ＝Ｘとなるべきである。しかしながら、図１に示すように、スポット１および２の強度プロットは、Ｙ＝Ｘのラインから大きく外れており、スポット不良と考えられる。ここで、図２は、スポット１の強度画像（左図）と、スポット１の縦断線における検出強度の変動グラフ（右図）を示す図である。また、図３は、スポット２の強度画像（左図）と、スポット２の縦断線における検出強度の変動グラフ（右図）を示す図である。なお、強度画像において、破線の円はスポット箇所を示しており、白色階調値で検出強度が表されている。
【００１６】
図２および図３の左図に示すように、スポット箇所の強度画像においては、検出強度は均一な円となっておらず、不均一なムラとなっている。変動グラフ（右図）は、横１ピクセル縦十数ピクセルにわたってスポット箇所を縦断するラインにおける検出強度の変動を表しており、理想的には一定の強度であるべきところ大きく変動している。不良の原因は、主に、スポットの不良（選択結合性物質の固定時の不良など）やごみの付着である。
【００１７】
特許文献２等の先行技術においては、このような不良スポットを排除するために、以下の式で求められるＣＶ値を用いて、スポットの良否を判定していた。
ＣＶ値＝（ピクセル群における強度の標準偏差）／（ピクセル群における強度の平均値）
【００１８】
すなわち、ＣＶ値が所定の基準値以上であれば不良スポットとしてデータを排除していた。その場合、ごみ等がスポットの一部に付着する等によって、上述の例で７０個のピクセル群のうち５ピクセルが極端に大きい値を示した場合、ＣＶ値が基準値以上となり、データが排除される。
【００１９】
しかしながら、スポットのシグナル強度の代表値としては、通常、スポット内のピクセル群におけるメジアンを用いているのであって、たとえスポット内の一部に外れ値が含まれていても変動することが少ないので、データとしては十分使用できる可能性がある。すなわち、ＣＶ値を用いた従来の評価方法では、十分使用できるにも関わらず不良スポットを過検出してデータを排除してしまっているという問題点を有していた。
【００２０】
本発明は、上記に鑑みてなされたもので、マイクロアレイ実験等から得られるデータにおいて、非生物学的影響を考慮して被検査物質の選択的結合量の信頼性を適切に評価することができる、判定方法、判定装置、判定システム、および、プログラムを提供することを目的とする。
【課題を解決するための手段】
【００２１】
このような目的を達成するため、本発明の判定方法は、担体上にスポットとして固定化された選択結合性物質に、標識された被検査物質が結合することにより標識の検出強度として得られる、上記被検査物質の選択的結合量の信頼性を判定する判定方法であって、上記担体における上記検出強度を画像化した画像データにおいて上記スポットの位置を決定して、当該スポットに対応するピクセル群を抽出するピクセル群抽出ステップと、上記ピクセル群抽出ステップにて抽出された上記ピクセル群における上記検出強度のメジアン値と、当該ピクセル群から上位所定割合および／または下位所定割合のピクセルを除いた群における上記検出強度のメジアン値と、の比または差を算出するメジアン算出ステップと、上記メジアン算出ステップにて算出された上記比または上記差と、所定の基準値とに基づいて、上記信頼性の良否を判定する信頼性判定ステップと、を含むことを特徴とする。
【００２２】
また、本発明の判定方法は、上記記載の判定方法において、上記メジアン算出ステップは、以下の式１および／または式２によって得られる比の値を算出し、上記信頼性判定ステップは、上記メジアン算出ステップにて算出された上記比の値が上記基準値以上であれば不良と判定することを特徴とする。
｜Ｘ−Ｘｔ｜／Ｘ      …（式１）
｜Ｘ−Ｘｂ｜／Ｘ      …（式２）
（ここで、Ｘは、上記ピクセル群における上記検出強度のメジアン値であり、Ｘｔは、当該ピクセル群から上位所定割合のピクセルを除いた群における上記検出強度のメジアン値であり、Ｘｂは、当該ピクセル群から下位所定割合のピクセルを除いた群における上記検出強度のメジアン値である。）
【００２３】
また、本発明の判定方法は、上記記載の判定方法において、上記基準値は、以下の式３によって得られる値であることを特徴とする。
Ｓ＝Ｃ＋Ｚ／Ｘ      …（式３）
（ここで、Ｓは、上記基準値であり、Ｃは、定数であり、Ｚは、上記標識の検出強度を検出する装置の感度設定によるオフセット値であり、Ｘは、上記ピクセル群における上記検出強度のメジアン値である。）
【００２４】
また、本発明の判定方法は、上記記載の判定方法において、上記標識の検出強度を検出する装置は、フォトマルチプライヤーであり、上記オフセット値は、以下の式４によって得られる値であることを特徴とする。
Ｚ＝Ｘ＾（Ａ）＊Ｂ      …（式４）
（ここで、Ｚは、上記オフセット値であり、Ｘは、上記フォトマルチプライヤーのゲイン電圧であり、ＡおよびＢは、定数である。）
【００２５】
また、本発明の判定方法は、上記記載の判定方法において、上記担体は、マイクロアレイであり、上記標識は、蛍光標識であり、上記検出強度は、蛍光量であり、上記信頼性判定ステップは、上記信頼性の良否としてスポットの良否を判定することを特徴とする。
【００２６】
また、本発明の判定装置は、担体上にスポットとして固定化された選択結合性物質に、標識された被検査物質が結合することにより標識の検出強度として得られる、上記被検査物質の選択的結合量の信頼性を判定する、制御部を少なくとも備えた判定装置において、上記制御部は、上記担体における上記検出強度を画像化した画像データにおいて上記スポットの位置を決定して、当該スポットに対応するピクセル群を抽出するピクセル群抽出手段と、上記ピクセル群抽出手段により抽出された上記ピクセル群における上記検出強度のメジアン値と、当該ピクセル群から上位所定割合および／または下位所定割合のピクセルを除いた群における上記検出強度のメジアン値と、の比または差を算出するメジアン算出手段と、上記メジアン算出手段により算出された上記比または上記差と、所定の基準値とに基づいて、上記信頼性の良否を判定する信頼性判定手段と、を備えたことを特徴とする。
【００２７】
また、本発明の判定システムは、担体上にスポットとして固定化された選択結合性物質に、標識された被検査物質が結合することにより得られる標識の検出強度を読取る検出装置と、上記検出強度として得られる、上記被検査物質の選択的結合量の信頼性を判定する制御部を少なくとも備えた判定装置と、を接続して構成した判定システムにおいて、上記判定装置の上記制御部は、上記検出装置を介して読取られた上記担体における上記検出強度を、画像化した画像データとして取得する画像データ取得手段と、上記画像データ取得手段により取得された上記画像データにおいて上記スポットの位置を決定して、当該スポットに対応するピクセル群を抽出するピクセル群抽出手段と、上記ピクセル群抽出手段により抽出された上記ピクセル群における上記検出強度のメジアン値と、当該ピクセル群から上位所定割合および／または下位所定割合のピクセルを除いた群における上記検出強度のメジアン値と、の比または差を算出するメジアン算出手段と、上記メジアン算出手段により算出された上記比または上記差と、所定の基準値とに基づいて、上記信頼性の良否を判定する信頼性判定手段と、を備えたことを特徴とする。
【００２８】
また、本発明のプログラムは、担体上にスポットとして固定化された選択結合性物質に、標識された被検査物質が結合することにより標識の検出強度として得られる、上記被検査物質の選択的結合量の信頼性を判定する方法を、制御部を少なくとも備えたコンピュータに実行させるためのプログラムであって、上記制御部において、上記担体における上記検出強度を画像化した画像データにおいて上記スポットの位置を決定して、当該スポットに対応するピクセル群を抽出するピクセル群抽出ステップと、上記ピクセル群抽出ステップにて抽出された上記ピクセル群における上記検出強度のメジアン値と、当該ピクセル群から上位所定割合および／または下位所定割合のピクセルを除いた群における上記検出強度のメジアン値と、の比または差を算出するメジアン算出ステップと、上記メジアン算出ステップにて算出された上記比または上記差と、所定の基準値とに基づいて、上記信頼性の良否を判定する信頼性判定ステップと、を含む上記方法を実行させることを特徴とする。
【００２９】
また、本発明は記録媒体に関するものであり、上記記載のプログラムを記録したことを特徴とする。
【発明の効果】
【００３０】
本発明の判定方法、判定装置、判定システム、および、プログラムによれば、マイクロアレイ実験等から得られるデータにおいて、非生物学的影響を考慮して被検査物質の選択的結合量の信頼性を適切に評価することができるという効果を奏する。
【図面の簡単な説明】
【００３１】
【図１】図１は、２枚のＤＮＡチップにおいて同一の被検査物質をハイブリダイズさせた場合の検出強度を示すスキャッタープロットである。
【図２】図２は、スポット１の強度画像（左図）と、スポット１の縦断線における検出強度の変動グラフ（右図）を示す図である。
【図３】図３は、スポット２の強度画像（左図）と、スポット２の縦断線における検出強度の変動グラフ（右図）を示す図である。
【図４】図４は、本実施形態における判定システムの全体構成の一例を示すブロック図である。
【図５】図５は、本実施の形態における本判定装置１００の基本処理の一例を示すフローチャートである。
【図６】図６は、スポットメジアン（Ｘ）と、上位所定割合を除いた場合のメジアン（Ｘｔ：Ｔｏｐ  Ｃｕｔ  Ｍｅｄｉａｎ）と、下位所定割合を除いた場合のメジアン（Ｘｂ：Ｂｏｔｔｏｍ  Ｃｕｔ  Ｍｅｄｉａｎ）の関係を示す図である。
【図７】図７は、シグナル強度が弱い領域におけるホワイトノイズと補正曲線を示す図である。
【図８】図８は、同一の被検査物質を供した同一の担体を、ＰＭＴ（光電子倍増管）ゲイン電圧（％）の設定が「４０」（４０％×１Ｖ）の場合で測定した結果を示す図である。
【図９】図９は、同一の被検査物質を供した同一の担体を、ＰＭＴゲイン電圧（％）の設定が「５５」（５５％×１Ｖ）の場合で測定した結果を示す図である。
【図１０】図１０は、オフセット値とＰＭＴゲイン電圧（増感コントロール電圧）をプロットしたグラフ図である。
【図１１】図１１は、２枚のＤＮＡチップにおいて同一の被検査物質をハイブリダイズさせた場合の検出強度を示すスキャッタープロットである。
【図１２】図１２は、内側が不均一なスポットの強度画像（上図）とスポット横断線における検出強度の変動グラフ（下図）を示す図である。
【図１３】図１３は、スポット毎に求めた式１の値を昇順にソートした結果を示す図である
【図１４】図１４は、スポット毎に求めた式２の値を降順にソートした結果を示す図である。
【図１５】図１５は、ＰＭＴゲイン電圧設定４０％の場合の結果を示すスキャッタープロットである。
【図１６】図１６は、ＰＭＴゲイン電圧設定５５％の場合の結果を示すスキャッタープロットである。
【図１７】図１７は、ＰＭＴゲイン電圧設定７０％の場合の結果を示すスキャッタープロットである。
【図１８】図１８は、ＰＭＴゲイン電圧設定値とオフセット値の相関性を示す両対数グラフである。
【発明を実施するための形態】
【００３２】
以下に、本発明にかかる本発明の判定方法、判定装置、判定システム、および、プログラムの実施の形態を図面に基づいて詳細に説明する。特に、以下に示す実施形態は、本発明の技術思想を具体化するための判定システムを例示するものであって、本発明をこの判定システムにおいて行われることを限定するものではなく、特許請求の範囲に含まれるその他の実施形態の判定方法や判定装置にも等しく適用し得るものである。例えば、以下の実施形態においては、判定システムにおいて実行される判定方法について説明する場合があるが、これに限られず、判定方法は人により手動にて行う方法であってもよい。また、以下の実施形態においては、判定装置は、画像データ等を取得する測定装置等の入力装置に接続された例について説明するが、本発明はこれに限られず、判定装置は、入力装置に接続されることなく、予め記憶部に画像データを記憶していてもよく、通信により外部から画像データを取得してもよい。
【００３３】
［本実施形態の概要］
以下、本実施形態の概要について説明し、その後、本実施形態の構成および処理等について図面を参照しながら詳細に説明する。本願発明者らは、鋭意検討した結果、一例として以下に示す本実施形態による判定方法を開発するに至った。
【００３４】
すなわち、本実施形態は、概略的に、以下の基本的特徴を有する。本実施形態は、担体上にスポットとして固定化された選択結合性物質に、標識された被検査物質が結合することにより標識の検出強度として得られる、被検査物質の選択的結合量の信頼性を判定する。
【００３５】
ここで、「被検査物質」とは、細胞や組織等から直接または間接的に得られる試料のことであり、例えば、ゲノムＤＮＡ、ＲＮＡ、ｃＤＮＡ、ａＲＮＡ（ｃＤＮＡまたはその相補配列を鋳型として増幅されたＲＮＡ）、タンパク質、糖鎖、脂質などである。また、「標識」とは、検出手段によって検出することができる物質のことであり、蛍光標識や生物発光による標識、放射性同位体による標識等である。また、「選択結合性物質」とは、ある物質と選択的に結合する物質のことであり、例えば、ＤＮＡに対する相補的ＤＮＡ、ＤＮＡに対する相補的ＲＮＡ、抗原に対する抗体、化学物質に対する酵素などである。
【００３６】
また、「担体」は、一般的な、ＤＮＡチップやマイクロアレイ等の基板のほか、凹凸構造を持つポリメチルメタクリレート製ＤＮＡチップ基板（３Ｄ−Ｇｅｎｅ（商品名）、製造販売  東レ株式会社（会社名）、特開２００４−２６４２８９参照）であってもよく、その場合には凸部にスポットを行う。
【００３７】
まず、本実施形態は、担体における検出強度を画像化した画像データにおいてスポットの位置を決定して、当該スポットに対応するピクセル群を抽出する。すなわち、画像上の１つのスポット箇所を構成している一群のピクセルをスポット毎に抽出する。
【００３８】
そして、本実施形態は、抽出したピクセル群における検出強度のメジアン値（Ｘ）と、当該ピクセル群から上位所定割合および／または下位所定割合のピクセルを除いた群における検出強度のメジアン値（Ｘｔ／Ｘｂ）と、の比または差を算出する。例えば、本実施形態は、以下の式１および／または式２に基づいて比を算出してもよい。
｜Ｘ−Ｘｔ｜／Ｘ      …（式１）
｜Ｘ−Ｘｂ｜／Ｘ      …（式２）
（ここで、Ｘは、抽出したピクセル群における検出強度のメジアン値であり、Ｘｔは、当該ピクセル群から上位所定割合のピクセルを除いた群における検出強度のメジアン値であり、Ｘｂは、当該ピクセル群から下位所定割合のピクセルを除いた群における検出強度のメジアン値である。）
【００３９】
なお、以下に記載の実施例では、Ｘｔ、Ｘｂを求める際に、除いた上位所定割合・下位所定割合は、いずれも抽出したピクセル群の３０％としたが、これに限られず、例えば、２０〜４０％の範囲の任意の値で使用してもよい。
【００４０】
そして、本実施形態は、算出された比または差と、所定の基準値Ｓとに基づいて、信頼性の良否を判定する。例えば、本実施形態は、算出した比または差の値が基準値Ｓ以上であれば不良と判定してもよい。なお、図２のスポット１において、式１の値（％）は、３４％であり、式２の値（％）は、２２．２％であった。また、図３のスポット２において、式１の値（％）は、３０％であり、式２の値（％）は、２２．３％であった。スポット１および２の両方において十分なデータが得られるので、これらを排除しないために、基準値Ｓは２５％〜３０％程度としてもよい。
【００４１】
ここで、基準値Ｓは、以下の式３によって得られる値であってもよい。
Ｓ＝Ｃ＋Ｚ／Ｘ      …（式３）
（ここで、Ｓは、基準値であり、Ｃは、定数であり、Ｚは、標識の検出強度を検出する装置の感度設定によるオフセット値であり、Ｘは、ピクセル群における検出強度のメジアン値である。）
【００４２】
ここで、オフセット値Ｚは、以下の式４によって得られる値であってもよい。
Ｚ＝Ｘ＾（Ａ）＊Ｂ      …（式４）
（ここで、Ｚは、オフセット値であり、Ｘは、フォトマルチプライヤーのゲイン電圧であり、ＡおよびＢは、定数である。）
【００４３】
以上が本実施形態の概要である。これにより、マイクロアレイ実験等から得られるデータにおいて、非生物学的影響を考慮して被検査物質の選択的結合量の信頼性を適切に評価することができる。特に、スポット内の一部に外れ値が含まれていても、十分使用できるデータを過検出して排除してしまうことを防ぐことができる。
【００４４】
［判定システムの構成］
まず、本実施形態における判定システムの構成について説明する。図４は、本実施形態における判定システムの全体構成の一例を示すブロック図である。
【００４５】
図４に示すように、本実施形態における判定システムは、概略的に、標識の検出強度を読取る検出手段として機能する入力装置１１２と、出力装置１１４と、判定装置１００とを備える。
【００４６】
判定装置１００は、概略的に、判定装置１００の全体を統括的に制御するＣＰＵ等の制御部１０２、通信回線等に接続されるルータ等の通信装置（図示せず）に接続される通信制御インターフェース部１０４、入力装置１１２や出力装置１１４に接続される入出力制御インターフェース部１０８、および、各種のデータベースやテーブルなどを格納する記憶部１０６を備えて構成されており、これら各部は任意の通信路を介して通信可能に接続されている。ここで、図４に示すように、判定装置１００は、ルータ等の通信装置および専用線等の有線または無線の通信回線を介してネットワーク３００に接続されてもよく、更に、ネットワーク３００を介して外部システム２００に接続されてもよい。
【００４７】
記憶部１０６に格納される各種のデータベースやテーブル（画像データファイル１０６ａおよびピクセル群ファイル１０６ｂ）は、固定ディスク装置等のストレージ手段であってもよい。例えば、記憶部１０６は、各種処理に用いる各種のプログラム、テーブル、ファイル、データベース、および、ウェブページ等を格納してもよい。
【００４８】
これら記憶部１０６の各構成要素のうち、画像データファイル１０６ａは、担体における検出強度を画像化した画像データを記憶する画像データ記憶手段である。例えば、画像データファイル１０６ａに記憶される画像データは、検出手段によって担体平面上の検出強度をスキャンすることによって得られた画像情報であってもよい。なお、画像データファイル１０６ａは、予め画像データを記憶してもよく、後述する検出手段として機能する入力装置１１２から入力された画像データであってもよく、ネットワーク３００を介して外部システム２００から受信した画像データであってもよい。一例として、画像データファイル１０６ａは、画像データとして、検出強度を階調値としたグレースケール画像データを記憶する。
【００４９】
また、ピクセル群ファイル１０６ｂは、スポット毎にピクセル群の情報（強度情報等）を記憶するピクセル群記憶手段である。例えば、ピクセル群ファイル１０６ｂに記憶される情報は、スポットを一意に特定する識別情報（担体のブロック番号と行番号と列番号など）に対応付けた、各ピクセルの検出強度の値（階調値など）や、ピクセル群のメジアン値等である。例えば、一枚のバイオチップに４ブロックあり、１ブロックあたり６４（８ｘ８）スポット、合計２５６遺伝子の発現パターンを検出することができる担体（バイオチップ）を用いたとすると、ピクセル群ファイル１０６ｂは、個々の遺伝子に対応する選択結合性物質（ＤＮＡ断片等）が配置された位置（ブロック番号とスポットの行番号および列番号）を、当該スポット内のピクセル群の階調値等と対応付けて記憶する。
【００５０】
また、図４において、入出力制御インターフェース部１０８は、入力装置１１２や出力装置１１４の制御を行う。ここで、出力装置１１４としては、モニタ（家庭用テレビを含む）の他、プリンタ、記録媒体出力装置等を用いることができる。また、入力装置１１２としては、キーボード、マウス等の他、標識の検出強度を読取る検出装置（検出手段）であってもよい。
【００５１】
ここで、「検出手段」とは、担体上にスポットとして固定化された選択結合性物質に、標識された被検査物質が結合することにより得られる標識の検出強度を読取る手段である。例えば、検出手段は、選択結合性物質がスポットされた位置を特定するとともに検出強度を取得するための検査手段、例えば蛍光顕微鏡カメラなどであってもよい。標識が、蛍光標識や生物発光による標識の場合、検出手段は、フォトマルチプライヤー（光電子増倍管）であってもよい。なお、検出手段は、蛍光顕微鏡カメラのように検出強度を画像化する手段に限らず、検出強度を読取る手段であればよく、担体平面に沿ってスキャン（走査）させることにより、判定装置１００側で画像化してもよい。選択結合性物質がＤＮＡの場合、微量の二本鎖ＤＮＡ結合性蛍光物質を取り込ませ、選択的結合量を検出してもよい。また、検出手段は、ＤＮＡ固有の吸収波長を検出してもよい。また、選択結合性物質がタンパク質、糖鎖等であった場合でも、選択結合性物質の性質に応じて、吸収波長、蛍光物質、放射性同位体（ラジオアイソトープ）、ハイブリダイゼーション、抗原抗体反応などの技術を用いて検出するようにしてもよい。
【００５２】
また、図４において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、画像データ取得部１０２ａ、ピクセル群抽出部１０２ｂ、メジアン算出部１０２ｃ、信頼性判定部１０２ｄ、基準値決定部１０２ｅを備えて構成されている。
【００５３】
このうち、画像データ取得部１０２ａは、担体における検出強度を画像化した画像データを取得する画像データ取得手段である。例えば、画像データ取得部１０２ａは、検出手段として機能する入力装置１１２を介して読取られた担体における検出強度を、画像化した画像データとして取得してもよい。ここで、画像データ取得部１０２ａは、蛍光顕微鏡カメラ等の入力装置１１２から画像データを直接取得してもよく、フォトマルチプライヤー等の入力装置１１２を担体平面に沿ってスキャン（走査）させることにより得られた座標ごとの検出強度を画像化してもよい。また、画像データ取得部１０２ａは、ネットワーク３００を介して、外部システム２００から画像データを受信してもよい。なお、画像データ取得部１０２ａは、取得した画像データを画像データファイル１０６ａに格納する。
【００５４】
また、ピクセル群抽出部１０２ｂは、画像データファイル１０６ａに記憶された画像データにおいてスポットの位置を決定して、当該スポットに対応するピクセル群を抽出するピクセル群抽出手段である。例えば、ピクセル群抽出部１０２ｂは、担体上の選択結合性物質が配置された位置（スポット箇所）の配列（スポット中心座標およびピクセル半径等）に基づいて、画像上で各スポット箇所を区画化し、各区画内のピクセル群を抽出してもよい。なお、ピクセル群抽出部１０２ｂは、画像データおよび配列パターンデータを重畳的に出力装置１１４に表示し、マウス等の入力装置１１２を介して表示上の配列パターンを移動させる入力を利用者により行わせることによって、位置決めを行ってもよい。また、ピクセル群抽出部１０２ｂは、スポット毎にピクセル群の情報（強度情報等）をピクセル群ファイル１０６ｂに格納する。例えば、ピクセル群抽出部１０２ｂは、スポットを一意に特定する識別情報（担体のブロック番号と行番号と列番号など）に対応付けて、各ピクセルの検出強度の値（階調値など）をピクセル群ファイル１０６ｂに格納してもよい。
【００５５】
また、メジアン算出部１０２ｃは、ピクセル群ファイル１０６ｂに格納されたピクセル群における検出強度のメジアン値（Ｘ）と、当該ピクセル群から上位所定割合および／または下位所定割合のピクセルを除いた群における検出強度のメジアン値（Ｘｔ／Ｘｂ）と、の比または差を算出するメジアン算出手段である。例えば、本実施形態は、以下の式１および／または式２に基づいて比を算出してもよい。例えば、メジアン算出部１０２ｃは、ピクセル群ファイル１０６ｂに格納された、あるスポットのピクセル群の検出強度（階調値等）を、昇順または降順にソートすることにより並べ替え、上位所定割合（ｘ％）を除いた群における中位の検出強度、および、下位所定割合（ｙ％）を除いた群における中位の検出強度を得てもよい。
｜Ｘ−Ｘｔ｜／Ｘ      …（式１）
｜Ｘ−Ｘｂ｜／Ｘ      …（式２）
（ここで、Ｘは、抽出したピクセル群における検出強度のメジアン値であり、Ｘｔは、当該ピクセル群から上位所定割合のピクセルを除いた群における検出強度のメジアン値であり、Ｘｂは、当該ピクセル群から下位所定割合のピクセルを除いた群における検出強度のメジアン値である。）
【００５６】
また、信頼性判定部１０２ｄは、メジアン算出部１０２ｃにより算出された比または差と、所定の基準値とに基づいて、信頼性の良否を判定する信頼性判定手段である。例えば、信頼性判定部１０２ｄは、メジアン算出部１０２ｃにより算出された比または差が基準値Ｓ以上であれば不良と判定してもよい。信頼性判定部１０２ｄは、信頼性の判定結果に基づいて、不良スポットのデータを分析から除外してもよく、信頼性の判定結果を出力装置１１４に出力してもよい。なお、制御部１０２は、信頼性判定部１０２ｄによる信頼性の判定結果に基づいて処理（不良スポットデータの除外等）を行い、データ分析結果を出力装置１１４に出力してもよい。なお、出力は、出力装置１１４としてモニタに出力することに限られず、プリンタや、記録媒体出力装置を介して記録媒体等に出力してもよい。また、信頼性判定部１０２ｄ等の制御部１０２は、通信制御インターフェース部１０４を制御して、ネットワーク３００を介して、外部システム２００に信頼性の判定結果や分析結果のデータを送信してもよい。
【００５７】
また、基準値決定部１０２ｅは、信頼性判定部１０２ｄによる信頼性判定の基準とする基準値を決定する基準値決定手段である。例えば、基準値決定部１０２ｅは、以下の式３によって基準値Ｓを決定してもよい。
Ｓ＝Ｃ＋Ｚ／Ｘ      …（式３）
（ここで、Ｓは、基準値であり、Ｃは、定数であり、Ｚは、標識の検出強度を検出する装置の感度設定によるオフセット値であり、Ｘは、ピクセル群における検出強度のメジアン値である。）
【００５８】
ここで、基準値決定部１０２ｅは、以下の式４に基づいて、式３におけるオフセット値Ｚを決定してもよい。
Ｚ＝Ｘ＾（Ａ）＊Ｂ      …（式４）
（ここで、Ｚは、オフセット値であり、Ｘは、フォトマルチプライヤーのゲイン電圧であり、ＡおよびＢは、定数である。）
【００５９】
また、図４において、通信制御インターフェース部１０４は、判定装置１００とネットワーク３００（またはルータ等の通信装置）との間における通信制御を行う。すなわち、通信制御インターフェース部１０４は、他の端末と通信回線を介してデータを通信する機能を有する。ネットワーク３００は、判定装置１００と外部システム２００とを相互に接続する機能を有し、例えば、インターネット等である。外部システム２００は、ネットワーク３００を介して、判定装置１００と相互に接続され、標識の検出強度データ等に関する外部データベースや外部プログラム等を提供する機能を有する。
【００６０】
ここで、外部システム２００は、ＷＥＢサーバやＡＳＰサーバ等のサーバ装置や、端末装置として構成していてもよく、そのハードウェア構成は、一般に市販されるワークステーション、パーソナルコンピュータ等の情報処理装置およびその付属装置により構成していてもよい。また、外部システム２００の各機能は、外部システム２００のハードウェア構成中のＣＰＵ、ディスク装置、メモリ装置、入力装置、出力装置、通信制御装置等およびそれらを制御するプログラム等により実現される。なお、判定装置１００の利用者は、ネットワーク３００を介して、外部システム２００が提供するＤＮＡチップ等に関する検出強度データベースや、遺伝子配置データベース等の外部データベース、または判定方法を実行させるためのプログラム等の外部プログラムを提供するウェブサイトにアクセスすることによって検出強度値データや、配置データ、プログラム等を入手するようにしてもよい。これにて、本実施形態の判定システムおよび判定装置１００の構成の説明を終える。
【００６１】
［判定装置１００の処理］
次に、このように構成された本実施形態における判定装置１００の処理の一例について、以下に図５および図６を参照しながら詳細に説明する。図５は、本実施の形態における本判定装置１００の基本処理の一例を示すフローチャートである。
【００６２】
まず、図５に示すように本判定装置１００において、画像データ取得部１０２ａは、担体における検出強度を画像化した画像データを取得し、画像データファイル１０６ａに格納する（ステップＳＡ−１）。例えば、画像データ取得部１０２ａは、検出手段として機能する入力装置１１２を介して読取られた担体における検出強度を画像化した画像データとして取得してもよい。ここで、画像データ取得部１０２ａは、蛍光顕微鏡カメラ等の入力装置１１２から画像データを直接取得してもよく、フォトマルチプライヤー等の入力装置１１２を担体平面に沿ってスキャン（走査）させることにより得られた座標ごとの検出強度を画像化してもよい。ここで、画像データ取得部１０２ａは、入出力制御インターフェース部１０８を介して、検出強度データまたは画像データを格納した外部記録媒体からデータを読み込んでもよい。
【００６３】
そして、ピクセル群抽出部１０２ｂは、画像データファイル１０６ａに記憶された画像データにおいてスポットの位置を決定して当該スポットに対応するピクセル群を抽出し、抽出したピクセル群の情報をピクセル群ファイル１０６ｂに格納する（ステップＳＡ−２）。例えば、ピクセル群抽出部１０２ｂは、担体上の選択結合性物質が配置された位置（スポット箇所）の配列（スポット中心座標およびピクセル半径等）に基づいて、画像上で各スポット箇所を区画化し、各区画内のピクセル群を抽出してもよい。なお、ピクセル群抽出部１０２ｂは、スポット毎にピクセル群の情報（強度情報等）をピクセル群ファイル１０６ｂに格納する。例えば、ピクセル群抽出部１０２ｂは、スポットを一意に特定する識別情報（担体のブロック番号と行番号と列番号など）に対応付けて、各ピクセルの検出強度の値（階調値など）をピクセル群ファイル１０６ｂに格納してもよい。
【００６４】
そして、メジアン算出部１０２ｃは、ピクセル群ファイル１０６ｂに格納されたピクセル群における検出強度のメジアン値（Ｘ）を取得する（ステップＳＡ−３）。例えば、メジアン算出部１０２ｃは、あるスポットのピクセル群の検出強度（階調値等）を、昇順または降順にソートすることにより並べ替え、中位（ランキングで中央の位置）の検出強度値を取得することによりメジアン値（Ｘ）を得てもよい。
【００６５】
そして、メジアン算出部１０２ｃは、ピクセル群ファイル１０６ｂに格納されたピクセル群から上位所定割合（ｘ％）のピクセルを除いた群における検出強度のメジアン値（Ｘｔ）および／または当該ピクセル群から下位所定割合（ｙ％）のピクセルを除いた群における検出強度のメジアン値（Ｘｂ）を取得する（ステップＳＡ−４）。上位所定割合（ｘ％）および下位所定割合（ｙ％）は、例えば３０％であってもよい。一例として、メジアン算出部１０２ｃは、あるスポットのピクセル群の検出強度（階調値等）を、昇順または降順にソートすることにより並べ替え、上位所定割合（ｘ％）を除いた群における中位の検出強度（Ｘｔ）、および、下位所定割合（ｙ％）を除いた群における中位の検出強度（Ｘｂ）を得てもよい。ここで、図６は、スポットメジアン（Ｘ）と、上位所定割合を除いた場合のメジアン（Ｘｔ：Ｔｏｐ  Ｃｕｔ  Ｍｅｄｉａｎ）と、下位所定割合を除いた場合のメジアン（Ｘｂ：Ｂｏｔｔｏｍ  Ｃｕｔ  Ｍｅｄｉａｎ）の関係を示す図である。棒グラフの１本は、１つのピクセルに対応しており、長さは、当該ピクセルの階調値に対応する検出強度である。また、横軸に沿って、当該スポットにおけるピクセル群を強度で降順にソートしている。
【００６６】
図６に示すように、スポットメジアン（Ｘ）は、ピクセル群の強度のランクで中位（中央の位置）の値である。このピクセル群から上位所定割合（この例では４ピクセル）を除いた群において中央の位置の値を求めたものが、メジアンＸｔ（Ｔｏｐ  Ｃｕｔ  Ｍｅｄｉａｎ）である。また、同ピクセル群から下位所定割合（この例では４ピクセル）を除いた群において中央の位置の値を求めたものが、メジアンＸｂ（Ｂｏｔｔｏｍ  Ｃｕｔ  Ｍｅｄｉａｎ）となる。
【００６７】
再び図５に戻り、メジアン算出部１０２ｃは、スポットメジアンＸと上位所定割合を除いたメジアンＸｔとの比または差、および／または、スポットメジアンＸと下位所定割合を除いたメジアンＸｂとの比または差を算出する（ステップＳＡ−５）。なお、図６の両矢印は、スポットメジアンＸと上位所定割合を除いたメジアンＸｔとの差、および、スポットメジアンＸと下位所定割合を除いたメジアンＸｂとの差を表している。ここで、メジアン算出部１０２ｃは、以下の式１および／または式２に基づいて比を算出してもよい。
｜Ｘ−Ｘｔ｜／Ｘ      …（式１）
｜Ｘ−Ｘｂ｜／Ｘ      …（式２）
（ここで、Ｘは、抽出したピクセル群における検出強度のメジアン値であり、Ｘｔは、当該ピクセル群から上位所定割合のピクセルを除いた群における検出強度のメジアン値であり、Ｘｂは、当該ピクセル群から下位所定割合のピクセルを除いた群における検出強度のメジアン値である。）
【００６８】
そして、信頼性判定部１０２ｄは、メジアン算出部１０２ｃにより算出された比または差と、所定の基準値とに基づいて、信頼性の良否を判定する（ステップＳＡ−６）。例えば、信頼性判定部１０２ｄは、メジアン算出部１０２ｃにより算出された比または差（差の絶対値等）が所定の基準値Ｓ（％）以上であれば不良と判定してもよい。ここで、基準値Ｓ（％）は、一定値Ｃ（％）であってもよく、シグナル強度が弱い領域で電気回路系などからのホワイトノイズが無視できない場合には基本Ｃ（％）を基準値決定部１０２ｅにより補正してもよい（詳細を後述する）。
【００６９】
以上が、判定装置１００の基本処理の一例である。
【００７０】
［基準値の補正処理］
上述の判定装置１００の基本処理においては、基準値Ｓは、一定値Ｃとしたが、基準値決定部１０２ｅが、基準値を補正して決定する補正処理の一例について以下に説明する。ここで、図７は、シグナル強度が弱い領域におけるホワイトノイズと補正曲線を示す図である。図７において、横軸は、シグナル強度を代表するスポットメジアンＸであり、縦軸は、式１および式２によって得られた比の値である。なお、この例では、式１および式２において絶対値を求めていないので、縦軸の正の領域は、式２によって求めた値、負の領域は、式１によって求めた値がプロットされている。
【００７１】
図７に示すように、シグナル強度が弱くなるほど離散的になり、ホワイトノイズの影響が無視できなくなり、算出される比の絶対値は大きくなる。したがって、基準値Ｓ（％）は、一定値Ｃ（％）よりも、適切に補正する方が好ましい。鋭意検討の結果、本願発明者らは、これを補正するための補正曲線（Ｙ＝１０＋１３／ＸおよびＹ＝−１０−１３／Ｘ）を見出した。これを一般化した式を以下に示す。すなわち、基準値決定部１０２ｅは、以下の式３に基づいて基本Ｃ（％）を補正して基準値Ｓを決定してもよい。
Ｓ＝Ｃ＋Ｚ／Ｘ      …（式３）
（ここで、Ｓは、基準値であり、Ｃは、定数であり、Ｚは、標識の検出強度を検出する装置の感度設定によるオフセット値であり、Ｘは、ピクセル群における検出強度のメジアン値である。）
【００７２】
ここで、オフセット値Ｚは、同一の設定においては一定であるが、スキャン時のフォトマルチプライヤーのゲイン設定を変更すると変化する値である。ここで、図８および図９は、同一の被検査物質を供した同一の担体を、ゲイン電圧（％）の設定が「４０」（この場合、光電子倍増管のコントロール電圧が４０％×１Ｖ＝０．４Ｖ）の場合と「５５」（５５％×１Ｖ＝０．５５Ｖ）の場合で測定した結果を示す図である。
【００７３】
図８および図９に示すように、ゲイン電圧（増感コントロール電圧）を変更すると散布状態も変化するので、それによって閾値曲線を変更する必要がある。その変化は、閾値曲線Ｓ＝Ｃ＋Ｚ／Ｘのオフセット値Ｚに依存的であり、図８の例ではオフセット値を１３に、図９の例ではオフセット値を８０に設定すれば好適な閾値曲線が得られる。
【００７４】
ここで、図１０は、オフセット値とゲイン電圧（増感コントロール電圧）をプロットしたグラフ図である。横軸は、フォトマルチプライヤー（ＰＭＴ）のゲイン電圧の対数値を表し、縦軸はオフセット値の対数値を表す。
【００７５】
図１０に示すように、オフセット値は、ゲイン電圧に依存的に変化し、標識の種類（ｃｙ３およびｃｙ５）に非依存的である。また、オフセット値の対数値とゲイン電圧の対数値は線形式で表される（図１０中の式）。なお、傾きと切片は、スキャナー機体（フォトマルチプライヤー）に固有の値であった。このオフセット値とゲイン電圧の関係式を一般化すると以下の式４になる。すなわち、基準値決定部１０２ｅは、以下の式４に基づいてオフセット値Ｚを決定してもよい。
Ｚ＝Ｘ＾（Ａ）＊Ｂ      …（式４）
ここで、Ｚは、オフセット値であり、Ｘは、フォトマルチプライヤーのゲイン電圧であり、ＡおよびＢは、定数である。図１０の例では、グラフの傾きは、５．１６３９〜５．１２５５２程度であり、切片は、−７．１３６３〜−７．２７１１程度である。すなわち、Ａの範囲は−７．１３６３〜−７．２７１１程度であり、Ｂの範囲は５．１６３９〜５．１２５５２程度である。
【００７６】
以上で、基準値の補正処理の説明を終える。
【００７７】
［実施例１］
適切な閾値についての検討を行った実施例１について以下に説明する。まず、２枚のＤＮＡチップにおいて同一の被検査物質をハイブリダイズさせ、検出強度に大きな差異がないことを確かめた。図１１は、２枚のＤＮＡチップにおいて同一の被検査物質をハイブリダイズさせた場合の検出強度を示すスキャッタープロットである。横軸は、一方のＤＮＡチップにおける各スポットの検出強度を表しており、縦軸は、他方のＤＮＡチップにおける各スポットの検出強度を表している。
【００７８】
その結果、図１１に示すように、２枚のＤＮＡチップにおいて検出強度に大きな差異はなく正常であることが確かめられた。なお、図１２に示すように、スポットの内側が不均一なものもあったが、メジアンを用いる場合にはデータとして十分使用できると考えて、排除しなかった。
【００７９】
つぎに、これらスポットのうち、検出強度がゲイン電圧設定値「４０」（光電子倍増管のコントロール電圧が、４０％×１Ｖ）で、スポットメジアンが２０００以上のスポットについて、以下の式１および式２の値を算出した。なお、スポットメジアンが２０００以上のスポットについて検討した理由は、前述したように、シグナルが弱い部分では、電気回路などのホワイトノイズを無視できないためである（例えば、図７、図８参照）。
（Ｘ−Ｘｔ）／Ｘ＊１００（％）      …（式１）
（Ｘ−Ｘｂ）／Ｘ＊１００（％）      …（式２）
（ここで、Ｘは、ピクセル群における検出強度のメジアン値であり、Ｘｔは、当該ピクセル群から上位所定割合のピクセルを除いた群における検出強度のメジアン値であり、Ｘｂは、当該ピクセル群から下位所定割合のピクセルを除いた群における検出強度のメジアン値である。）
【００８０】
図１３は、スポット毎に求めた式１の値を昇順にソートした結果を示す図である。また、図１４は、スポット毎に求めた式２の値を降順にソートした結果を示す図である。なお、Ｂｌｏｃｋはブロック番号、Ｃｏｌｕｍｎは列番号、Ｒｏｗは行番号を表しており、これらによりスポットが一意に特定される。また、Ｓ＿５３２＿Ｍｅｄｉａｎの項目において、スポットメジアンを示す。
【００８１】
図１３および図１４に示すように、式１の値においても式２の値においても、絶対値が２５％以下であれば、スポットの形状不良によるばらつきは生じないと判断できる。したがって、信頼性の良否を判断する基準値は、絶対値で２５％程度が好ましいと考えられる。
【００８２】
［実施例２］
適切なオフセット値についての検討を行った実施例２について以下に説明する。実施例２においては、担体として、３Ｄ−Ｇｅｎｅ（登録商標）  Ｈｕｍａｎ  Ｖｅｒ１．１（東レ製）のチップを２枚使用した。また、被検査物質として、Ｓｔｒａｔａｇｅｎｅ社製Ｈｕｍａｎ  Ｒｅｆｅｒｅｎｃｅ  ＲＮＡを用いて、プロトコルに記載のとおりにハイブリダイゼーションまでを行った。また、検出手段として、３Ｄ−Ｇｅｎｅ（登録商標）  Ｓｃａｎｎｅｒ（東レ製）を用いた。
【００８３】
ハイブリダイゼーションを行った２枚のチップのうち１枚について、３Ｄ−Ｇｅｎｅ（登録商標）  Ｓｃａｎｎｅｒ（東レ製）のフォトマルチプライヤー（ＰＭＴ）の設定を４０％、５５％、７０％と変えて測定し、それぞれのスポットについて式１および式２の値を算出した。ＰＭＴの設定を変えると、ＰＭＴのコントロール電圧が比例して変化する。したがって、光電子倍増管ゲインも変化する。ここで、図１５は、ＰＭＴ設定４０％の場合の結果を示すスキャッタープロットであり、図１６は、ＰＭＴ設定５５％の場合の結果を示すスキャッタープロットであり、図１７は、ＰＭＴ設定７０％の場合の結果を示すスキャッタープロットである。カット値は３０％であり、横軸にスポットメジアン、縦軸に絶対値の計算を除く式１および式２による２つの値をプロットした。
【００８４】
そして、図１５〜図１７のそれぞれについて、Ｙ＝±１０±Ｚ／Ｘ（Ｘはスポットメジアン、Ｚは定数）の曲線を描画し、その曲線が式１および式２の２つの値の広がりの裾に来るように、ＰＭＴの３条件におけるオフセット値Ｚを求めた。その結果、図１５〜図１７に示すように、ＰＭＴ設定４０％の場合はオフセット値１３であり、ＰＭＴ設定５５％の場合はオフセット値８０であり、ＰＭＴ設定７０％の場合はオフセット値２３０であった。
【００８５】
つづいて、ＰＭＴ値とオフセット値の相関を調べたところ、図１８に示すように、その関係は両対数グラフにおいて直線になることが示された。相関係数０．９９以上であり、この補正の妥当性が示された。オフセット値補正用の式４を以下に示す。
Ｚ＝Ｘ＾（Ａ）＊Ｂ      …（式４）
ここで、Ｚは、オフセット値であり、Ｘは、フォトマルチプライヤーのゲイン電圧である。本実施例２において、Ａは、−７．１３であり、Ｂは、５．１６であった。
【００８６】
以上で、本実施例２の説明を終える。
【００８７】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【００８８】
特に、本発明の実施の形態については、選択結合性物質としてＤＮＡを用いた例について説明したが、これに限られず、選択結合性物質には、抗体などのタンパク質ライブラリや、化合物のライブラリ等を配置してもよい。また、「担体」の材料は、ガラスに限られず、メンブレンやプラスチックでもよい。
【００８９】
また、上述の実施の形態においては、標識として蛍光化学物質（例えばＣｙ３，Ｃｙ５）を用いたが、これに限られず、標識には、蛍光特性を持たない色素や、放射性同位体、ＧＦＰ・ＧＲＰなどのタンパク質、Ｈｉｓタグ、ビオチン化などを用いることができる。
【００９０】
また、判定装置１００がスタンドアローンの形態で処理を行う場合を一例に説明したが、判定装置１００とは別筐体で構成されるクライアント端末からの要求に応じて処理を行い、その処理結果を当該クライアント端末に返却するように構成してもよい。
【００９１】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。このほか、上記文献中や図面中で示した処理手順、制御手順、具体的名称、各処理の登録データ等を含む情報、データベース構成については、特記する場合を除いて任意に変更することができる。
【００９２】
また、判定装置１００に関して、図示の各構成要素は機能概略的なものであり、必ずしも物理的に図示の如く構成されていることを要しない。
【００９３】
例えば、判定装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて判定装置１００に機械的に読み取られる。すなわち、ＲＯＭまたはＨＤなどの記憶部１０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御装置を構成する。
【００９４】
また、このコンピュータプログラムは、判定装置１００に対して任意のネットワーク３００を介して接続されたアプリケーションプログラムサーバに記憶されていてもよく、必要に応じてその全部または一部をダウンロードすることも可能である。
【００９５】
また、本発明に係るプログラムを、コンピュータ読み取り可能な記録媒体に格納することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ（登録商標）  Ｄｉｓｃ等の任意の「可搬用の物理媒体」を含むものとする。
【００９６】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００９７】
記憶部１０６に格納される各種のデータベース等（画像データファイル１０６ａ〜ピクセル群ファイル１０６ｂ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００９８】
また、判定装置１００は、既知のパーソナルコンピュータ、ワークステーション等の情報処理装置として構成してもよく、また、該情報処理装置に任意の周辺装置を接続して構成してもよい。また、１００は、該情報処理装置に本発明の方法を実現させるソフトウェア（プログラム、データ等を含む）を実装することにより実現してもよい。
【００９９】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１００】
以上詳述に説明したように、本発明によれば、マイクロアレイ実験等から得られるデータにおいて、非生物学的影響を考慮して被検査物質の選択的結合量の信頼性を適切に評価することができる、判定方法、判定装置、判定システム、および、プログラムを提供することができるので、特に、医療や製薬や創薬や生物学研究や臨床検査等の分野や、バイオ産業分野等に利用可能である。
【符号の説明】
【０１０１】
１００  判定装置
１０２  制御部
１０２ａ  画像データ取得部
１０２ｂ  ピクセル群抽出部
１０２ｃ  メジアン算出部
１０２ｄ  信頼性判定部
１０２ｅ  基準値決定部
１０４  通信制御インターフェース部
１０６  記憶部
１０６ａ  画像データファイル
１０６ｂ  ピクセル群ファイル
１０８  入出力制御インターフェース部
１１２  入力装置
１１４  出力装置
２００  外部システム
３００  ネットワーク
【図１】
0005895613.tif 000002
【図４】
0005895613.tif 000003
【図５】
0005895613.tif 000004
【図６】
0005895613.tif 000005
【図１０】
0005895613.tif 000006
【図１１】
0005895613.tif 000007
【図１３】
0005895613.tif 000008
【図１４】
0005895613.tif 000009
【図１８】
0005895613.tif 000010
【図２】
0005895613.tif 000011
【図３】
0005895613.tif 000012
【図７】
0005895613.tif 000013
【図８】
0005895613.tif 000014
【図９】
0005895613.tif 000015
【図１２】
0005895613.tif 000016
【図１５】
0005895613.tif 000017
【図１６】
0005895613.tif 000018
【図１７】
0005895613.tif 000019